【事件の表示】
　特願２０００−３９０２９１「外部連結機器に対する画像機器のメニュー遠隔制御方法」拒絶査定不服審判事件〔平成１３年　８月２４日出願公開、特開２００１−２２８９５３〕について、次のとおり審決する。
【結　論】
　本件審判の請求は、成り立たない。
【理　由】
１．手続の経緯
　本願は平成１２年１２月２２日の出願（パリ条約優先権主張１９９９．１２．２７韓国）であって、平成１６年１１月１８日付けで拒絶査定がなされ、これに対して平成１７年２月１８日に拒絶査定に対する審判が請求されるとともに、同日付けで手続補正がなされたものである。
　
２．平成１７年２月１８日付け手続補正について
［補正却下の決定の結論］
　　平成１７年２月１８日付け手続補正（以下「本件補正」という。）を却下する。
［理由］
　補正後の本願発明
　本件補正により、特許請求の範囲の請求項１は次のとおり補正された。
「外部機器選択のためのメニュー画面を表示する第１段階と、
　前記メニュー画面を通して選択された特定外部機器の動作選択のためのメニュー画面を要求する第２段階と、
　前記要求により特定外部機器から、メニュー画面構成のためのデータ変換なしに提供されるメニューデータを受信して、これを画面に表示する一方、表示されたメニュー画面に対してユーザーが選択キーを入力するとその時の画面上の選択ポインターの座標値を前記メニューデータを提供した外部機器に伝送することにより、予めメニュー画面の各領域別位置座標に対応して各メニュー項目が定義されている前記外部機器に対し前記送信座標値に応じたメニュー項目を識別させるとともに、この識別メニュー項目に応じたイメージデータを前記外部機器から入力して表示する第３段階と
　を含み、さらに、前記第３段階で表示されたメニュー画面上で選択ポインターの移動によってそのポインターが任意の選択項目上に位置するとその選択項目を他項目とは区別されるように表示する第４段階を含むことを特徴とする外部連結機器のメニュー遠隔制御方法。」
　上記補正は、請求項１に「・・・これを画面に表示する第３段階」とあるのを「・・・これを画面に表示する一方、表示されたメニュー画面に対してユーザーが選択キーを入力するとその時の画面上の選択ポインターの座標値を前記メニューデータを提供した外部機器に伝送することにより、予めメニュー画面の各領域別位置座標に対応して各メニュー項目が定義されている前記外部機器に対し前記送信座標値に応じたメニュー項目を識別させるとともに、この識別メニュー項目に応じたイメージデータを前記外部機器から入力して表示する第３段階」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（１）引用刊行物
 　原査定の拒絶の理由に引用された特開平１１−３４１４７２号公報（以下、「引用例」という。）には、図面とともに以下の記載がある。 
 「【０００１】 
 　【発明の属する技術分野】本発明はネットワーク上に接続された機器の操作をネットワークを通して行うネットワーク制御システムに関するものであり、特に、画面上にグラフィックス、文字等により、ユーザーの機器操作を支援するグラフィカルユーザインターフェース（ＧＵＩ）を用いた機器制御システムに関するものである。」（第４頁第６欄第１７行〜第２３行） 
 　 
 「【００２５】機能テーブル８は、このデバイスの操作画面を構成するための情報の一覧表である。この機能テーブル８中には、デバイスの操作に必要なブジェクト、このオブジェクトを識別するための識別子（ＩＤ）等が含まれる。ここで、各オブジェクトはリスト形式の階層化構造を持ち、本明細書では各表示部品、情報やリスト自身を総称してオブジェクトと呼ぶ。 
 【００２６】ここで、表示部品とは、機器の操作ボタン等の静止画データ、機能等を示すテキストデータ、効果音等のオーディオデータ、静止画データやテキストデータを含むプログラムコード等である。そして、機能テーブル８の情報は、伝送路１上のコントローラからの要求に応じて、デバイス非同期データ処理手段６、非同期データ送受信手段５等を経て、コントローラに転送される。」（第６頁第１０欄第４４行〜第７頁第１１欄第８行） 
 　 
 「【００４９】使用者が機能を示す表示部品を選択した場合には、機能テーブル８から得たこの表示部品に対応する制御コードと使用者の操作情報をコントローラ非同期データ処理手段１１等を通して発行する。表示／機能選択手段１４はこの制御コードと使用者の操作情報に対するデバイスの応答をコントローラ非同期データ処理手段１１経由で受け取り、さらに、この応答にデバイスからの表示部品の変更指示（例えば、変更すべき表示部品のＩＤの通知）がある時には、この指示に従い、変更すべき表示部品をデバイスから取り込み、現時点でのこのデバイスの状態等に対して適切な表示部品を表示画面上に表示し、使用者に通知する。」（第９頁第１５欄第１６行〜第２７行） 
　
「【００７８】表示／機能選択手段１４は、機能テーブル管理手段１２を通して、機能データベース１３中の機能テーブル８内のデバイス情報部品５０を参照する。表示／機能選択手段１４が、このコントローラに接続されているデバイスの一覧を表示する場合、表示／機能選択手段１４は、機能テーブル管理手段１２を用いて、機能データベース１３に登録されている全てのデバイスの機能テーブル８中から、デバイス情報部品５０内のデータオブジェクト（テキストオブジェクト、静止画オブジェクト等）を読み込み、画面上にこれらを表示する。
【００７９】また、デバイス情報部品５０の全てのデータオブジェクトを画面上に表示する必要はなく、適宜取捨選択して表示してもよい。ここで、デバイス情報部品５０内にオーディオオブジェクトがある場合は、デバイスの一覧を表示する際には使用せず、例えば、既にデバイス一覧が表示されている状態で、新規デバイスが接続された場合に、この新規デバイスの静止画オブジェクトを表示するとともに、オーディオオブジェクトがあれば、オーディオオブジェクトを再生する。或いは、デバイス表示部品５０が使用者により選択された際に再生する。
【００８０】そして、使用者がリモコンのポインティング機能（例えば、十字キー）等により、例えば、デバイスの静止画オブジェクトを選択した場合、表示／機能選択手段１４は、機能テーブル管理手段１２へ、デバイスの静止画が選択されたことを通知し、当該デバイスの機能メニュー５１を要求する。次に、図５を用いて、機能メニューに関する制御について説明する。
【００８１】ここで、当該デバイスの機能メニューがない場合、つまり、コントローラがまだ当該デバイスの使用権を獲得していない場合、図５に示すように、機能テーブル管理手段１２は、コントローラ非同期データ処理手段１１を用いて、当該デバイスへ使用権を要求する。使用権を要求されたデバイスは、使用を許可できる場合、デバイスの機能情報管理手段１７内に該当コントローラの識別子（例えば、ユニークＩＤ）を格納すると共に、デバイス内の機能テーブル８から、デバイスの機能を示すメニューの構成を記載したメニューリスト（機能メニューリスト）を機能テーブル８から機能情報管理手段経由で取り出し、コントローラへ送信する。コントローラはこの機能メニューリストを機能テーブル管理手段１２を用いて、このデバイスを示す機能テーブル８に格納する。ここで、メニューリストはメニューに含まれる表示部品５２の一覧を示していれば良く、単に、表示部品５２等の識別子（ＩＤ）のリストでも良い。
【００８２】一方、使用権を付与できない場合、デバイスはエラー情報を返し、コントローラはこのデバイスが使用不可能であることを画面上に表示し、使用者へ通知する。ここで、デバイスの使用権の許可は、コントローラから当該デバイスへの制御を許可することを意味するが、単に機能メニューの表示のみ許可することを意味するとしても良いし、デバイスの占有権を許可することを意味するとしても良い。
【００８３】さらに、機能テーブル管理手段１２は、格納された機能メニューリストから機能メニューリストに属している表示部品５２の識別子（ＩＤ）を、表示部品５２等のエントリ情報から取り出す。そして、機能テーブル管理手段１２は、機能メニュー５１に属する各表示部品５２やテキストオブジェクト、静止画オブジェクトを、コントローラ非同期データ処理手段１１を用いて、要求し、この応答として表示部品５２を得て、機能テーブル管理手段１２は、これらを機能テーブル８に記憶する。ここで、コントローラ内の機能テーブル８は、デバイス内の機能テーブル８と同一の形式である必要はなく、デバイス内の機能テーブル８の情報を含んでいればよい。
【００８４】機能テーブル管理手段１２を用いて、このデバイスの機能テーブル８中から、機能メニューリストに記されている各機能の表示部品５２を読出し、各々の機能に対応する表示部品５２を画面上に表示する。これを機能メニュー５１属する全ての表示部品５２に対して繰り返し行うことにより画面上に、このデバイスの全ての機能を示す表示部品５２を表示することが可能となる。なお、ここで、機能メニュー５１に属する全ての表示部品５２を一度に読み込むように構成しても良い。
【００８５】ここで、コントローラ内で、各々の表示部品５２の区別はデバイス固有のユニークＩＤとデバイスが付けた表示部品５２のＩＤを合わせたＩＤで行う。なお、コントローラが各表示部品５２のＩＤを新たに付け直し、この新ＩＤと（デバイスのユニークＩＤ＋デバイスの付けたＩＤ）との変換表をコントローラが持つように構成しても良い。そして、この機能テーブル８中には、ＩＤを持った表示部品５２が含まれている。
【００８６】そして、使用者がある表示部品５２を選択した際には、この表示部品５２の制御コード（ＩＤ）と使用者の操作情報をコントローラがデバイスへ送信する。ここで、機能テーブル８に属する任意の表示部品５２が変化した場合、コントローラからの送信の応答として、デバイスは変化した表示部品５２をコントローラへ返信する。なお、この時、デバイスは変化した表示部品５２のＩＤをコントローラへ返信し、必要に応じてコントローラが、この表示部品５２をデバイスから読み込み表示するとしても良い。
【００８７】また、例えば、ＶＴＲのテープを取り出されたことにより、ＶＴＲのデッキ部の操作ができなくなったために、デバイスがデッキ部の各機能を示す表示部品５２の静止画を変化させた時（例えば、各機能が無効であることを示すために各機能の静止画に×印を付加した静止画に置き換えた時）等、デバイス内の機能テーブル８の表示部品５２の内容が変化した時、デバイスは自発的に使用権を有するコントローラへ、変化した表示部品５２を送信する。
【００８８】続いて、使用者がある表示部品５２を選択した際には、この表示部品５２の制御コード（ＩＤ）と使用者の操作情報をコントローラがデバイスへ送信し、同様にして応答を処理する。これを繰り返すことにより、コントローラからデバイスを制御できる。そして、コントローラが当該デバイスを使用しなくなった場合、コントローラはデバイスに対して使用権の解放を通知し、デバイスの使用を終了する。この時、同時に、このコントローラの指示で使用していた伝送路１のチャンネルはデバイスによって解放される。よって、伝送路１を使用したままの状態でコントローラが存在しなくなることを防止でき、伝送路１を有効活用できる。
【００８９】次に、図６を用いて、使用者が表示部品５２を選択した場合の動作について詳しく説明する。使用者がリモコンのポインティング機能等により、例えば、デバイスの再生機能を示す表示部品５２を選択した場合、表示／機能選択手段１４は、デバイスが付けたこの表示部品５２のＩＤ（例えば、X1）を制御コードとして使用者の操作情報（例えば、選択）と共に、デバイスへ送信する。
【００９０】つまり、リモコンの上下左右を示す十字キーで、この表示部品５２上にカーソルを移動し、選択ボタンを押した後離した場合に、この表示部品５２のＩＤ（制御コード:X1）と使用者の操作情報（選択）をデバイスへ送信する。また、さらに細かい使用者の操作情報をデバイスへ送ることも可能であり、リモコンやポインティングデバイスの操作で、表示部品５２に対して、押す、離す、２回押す等の操作が行われた場合、これらの操作情報をデバイスへ送ることも可能である。
【００９１】なお、使用者の操作情報をデバイスへ送らず、表示部品５２の制御コード（表示部品やデータオブジェクトの識別子等）のみをデバイスへ送信するとしても良く、構成を単純化できる。ここで、使用者の操作情報は、コード化して表示部品５２のＩＤと共に送っても良いし、各々をひとつのコマンド（オペランドは表示部品５２のＩＤ等の制御コード）として送っても良い。」（第１１頁第２０欄第２２行〜第１３頁第２３欄第１０行）
　
 「【０１２７】続いて、使用者がある表示部品５２を選択した際には、この表示部品５２の制御コード（ＩＤ）と使用者の操作情報をコントローラがデバイスへ送信し、同様にして応答を処理する。これを繰り返すことにより、コントローラからデバイスを制御できる。」（第１６頁第３０欄第１９行〜第２３行） 
　
 「【０１２８】次にコントローラ上の画面表示について説明する。コントローラは、機能テーブル８の機能メニュー５１、構成集合部品及び表示部品５２で指示された位置情報等に従い、各表示部品５２を画面上に表示する。ここで、機能メニュー５１自身を示すデータオブジェクト（静止画及びテキストデータ）は表題として、コントローラの画面上に表示されるが、各構成集合部品５５自身を示すデータオブジェクトは表示しない。さらに、例えば、四角形等でひとつの構成集合部品に属している表示部品５２を囲むこと等で、各表示部品５２が構成集合部品５５に属していることを表示しない。 
 【０１２９】なお、構成集合部品５５自身を示すデータオブジェクトを表示するや各表示部品５２が構成集合部品５５に属していることを表示する方が使用者に分かりやすい表示を行うことが可能な場合は、構成集合部品５５またはデータオブジェクトにこれらを表示する旨を示すフラグを有すればよい。ここで、巻戻し、再生、早送り、一時停止、停止、録画で示される各表示部品５２は、ＶＴＲ：デッキで示される構成集合部品５５に属し、チャンネルUp、チャンネルDownで示される各表示部品５２は、ＶＴＲ：チューナで示される構成集合部品に属する。また、ＶＴＲ：デッキ及びＶＴＲ：チューナで示される構成集合部品は、各々チャンネル情報（ch 5及びch6）を有する。よって、図８（ａ）で示される表示部品５２の内、巻戻し、再生、早送り、一時停止、停止、録画の内、ストリームデータを取り扱わない停止以外の機能は、チャンネル情報（ch 5）を使用し、チャンネルUp、チャンネルDownで示される表示部品５２は、（ch 6）を使用する。 
 【０１３０】ここで、コントローラがストリームデータを表示する際には、デバイスを操作するメニューと共に表示しても良いし、ストリームデータのみを表示し、使用者のリモコン２２による操作により、再度メニューを表示するとしても良い。従って、各機能単位で異なったチャンネル情報を持つことが可能になり、例えば、デッキの再生と、チューナの番組の視聴を異なったチャンネルで同時に行うことが可能となる。 
 【０１３１】図８（ｂ）及び（ｃ）は、コントローラの画面サイズが、デバイスの機能テーブル８の機能メニュー５１内で想定した画面サイズよりも小さい場合の一例である。ここで、このコントローラは１画面内にＶＴＲのデッキ部を示す構成集合部品のみは表示可能であるとする。ここで、コントローラ上の表示画面は各構成集合部品単位では表示可能であるが、機能メニュー単位では表示不可能であるとする。」（第１６頁第３０欄第３１行〜第１７頁第３１欄第２６行） 
 　 
 「【０１４４】そして使用者が図８（ｂ）の操作画面において、使用者が次のページを示すアイコンをクリックした時、コントローラは画面表示／機能選択手段１４でこの操作を検出し、例えば、図８（ｃ）に示すように、次の優先順位を示す構成集合部品（ＶＴＲのチューナ）を画面上に表示する。ここで、前のメニューを示すアイコン及びテキストデータはコントローラが独自に表示したものである。 
 【０１４５】また、図示していないが、構成集合部品に属さない表示部品５２は、全ての構成集合部品の後のページに表示される。図８（ｂ）において、表示された構成集合部品５５に属する巻戻し、再生、早送り、一時停止、停止、録画の内、ストリームデータを取り扱わない停止以外の機能は、チャンネル情報（ch 5）を使用する。 
 【０１４６】また、図８（ｃ）において、チャンネルUp、チャンネルDownで示される表示部品５２は、（ch 6）を使用する。ここで、コントローラがストリームデータを表示する際には、デバイスを操作する構成集合部品５５と共に表示しても良いし、ストリームデータのみを表示し、使用者のリモコン２２による操作により、再度構成集合部品５５を表示するとしても良い。」（第１８頁第３３欄第４９行〜第３４欄第２０行） 
 　 
　これら引用刊行物の記載から、引用刊行物には以下の発明（以下、「引用発明」という。）が記載されているものと認められる。
 「コントローラにネットワークを介して接続されているデバイスの一覧をデバイス毎の静止画オブジェクトで表示し、
　使用者がデバイスの静止画オブジェクトを選択すると、コントローラは当該デバイスに使用権を要求し、使用権を要求されたデバイスは機能メニューリストをコントローラに送信し、コントローラは更に当該デバイスに、機能メニューに属する静止画オブジェクトを含む各表示部品を要求し、
　コントローラはその応答として各表示部品を得て各機能を示す表示部品を表示し、使用者がカーソルを移動して、ある表示部品を選択すると表示部品の制御コードと使用者の操作情報をデバイスに送信し、
　デバイスは制御コードと使用者の操作情報を受信し、これらの受信データの意味を解釈してデバイスの動作を行い、応答として静止画データを含む変更すべき表示部品をコントローラに送信し、
　コントローラは該当部品を上書き表示する、
　デバイスの制御方法。」
　
（２）対比
　本願補正発明と引用発明を対比すると、引用発明の「使用者」は本願補正発明の「ユーザー」に相当し、引用発明の「デバイス」は本願補正発明の「外部機器」・「外部連結機器」に相当する。 
　引用発明において外部機器（デバイス）の一覧が外部機器毎の静止画オブジェクトで表示されると、ユーザーが静止画オブジェクトを選択することができるから、外部機器の一覧表示は、本願補正発明の外部機器の選択のための「メニュー画面」に相当する。
　また、引用発明の「カーソル」は、本願補正発明の「ポインター」・「選択ポインター」に相当する。
　また、引用発明においてコントローラは所定の外部機器の各機能を示す静止画オブジェクトを含む表示部品を表示し、ユーザーは所定の表示部品を選択することができるから、引用発明の静止画オブジェクトを含む「表示部品」は本願補正発明の「メニュー項目」に相当し、引用発明の表示部品が表示された画面は本願補正発明の動作選択のための「メニュー画面」に相当し、更に、引用発明の静止画オブジェクトを含む「表示部品」はメニュー画面を構成する要素であるから、本願補正発明の「メニューデータ」に相当する。
　また、引用発明においてユーザー（使用者）がポインター（カーソル）を移動して、あるメニュー項目（表示部品）を選択することは、本願補正発明のユーザーが選択キーを入力することに相当する。
　また、引用発明の静止画データを含む「変更すべき表示部品」は、選択されたメニュー項目（表示部品）に応じて外部機器（デバイス）から入力されて表示されるから本願補正発明の、識別メニュー項目に応じて、外部機器から入力される「イメージデータ」に相当する。
　そして、引用発明はメニュー画面によりネットワークで接続された外部連結機器（デバイス）を制御するものであるから、引用発明の「デバイスの制御方法」は本願補正発明の「外部連結機器のメニュー遠隔制御方法」に相当する。 
　
　したがって、両者は
「外部機器選択のためのメニュー画面を表示する第１段階と、
　前記メニュー画面を通して選択された特定外部機器の動作選択のためのメニュー画面を要求する第２段階と、
　前記要求により特定外部機器から、提供されるメニューデータを受信して、これを画面に表示する一方、表示されたメニュー画面に対してユーザーが選択キーを入力すると、メニュー項目に応じたイメージデータを前記外部機器から入力して表示する第３段階と
　を含むことを特徴とする外部連結機器のメニュー遠隔制御方法。」の点で一致し、以下の点で相違している。
　
相違点１
　本願補正発明は、メニュー画面構成のためのデータ変換なしに提供されるメニューデータを受信して、これを画面に表示しているのに対して、引用発明ではメニューデータを受信してこれを画面に表示しているが、メニューデータがデータ変換なしに提供されるものかどうか明確ではない点。
　
相違点２
　本願補正発明の第３段階では、ユーザーが選択キーを入力すると、その時の画面上の選択ポインターの座標値を前記メニューデータを提供した外部機器に伝送することにより、予めメニュー画面の各領域別位置座標に対応して各メニュー項目が定義されている前記外部機器に対し前記送信座標値に応じたメニュー項目を識別させるとともに、この識別メニュー項目に応じたイメージデータを前記外部機器から入力して表示するのに対し、引用発明では、ユーザーがカーソルを移動して選択キーを入力すると、選択されたメニュー項目に応じた制御コードと使用者の操作情報を外部機器に送信し、メニュー項目に応じたイメージデータを前記外部機器から入力して表示しており、座標値を外部機器に伝送して外部機器でメニュー項目を識別させるものではない点。
　
相違点３
　本願補正発明では、第３段階で表示されたメニュー画面上で選択ポインターの移動によってそのポインターが任意の選択項目上に位置するとその選択項目を他項目とは区別されるように表示する第４段階を含むのに対して、引用発明にはこのことが記載されていない点。
　
（３）当審の判断
　以下、上記相違点について検討する。
相違点１について
　一般に画像（静止画）データ等をデータ変換なしに提供して画面を構成することは周知であることから、引用発明において周知技術を適用して、メニュー画面構成のためのメニューデータを受信して、これを画面に表示するに際して、データ変換なしに提供されるメニューデータを受信して本願補正発明のように構成することは当業者が適宜になし得ることである。
　
相違点２について
　引用発明のコントローラにおいてユーザーが選択ポインターを移動して選択キーを入力すると選択されたメニュー項目に応じ制御コードが外部機器に送信されるから、引用発明には明示の記載はないが、引用発明のコントローラにおいて予めメニュー画面の各領域別位置座標に対応して各メニュー項目が定義されていること、ユーザーが選択キーを入力するとその時の画面上の選択ポインターの座標値を得て、当該座標値に対応するメニュー項目をコントローラにおいて識別していることは当然のことである。
　そして、メニュー項目をポインター等で選択して機器を操作するに際してポインター等の座標値を機器に送信して機器で当該座標値に対応したメニュー項目を認識することは特開平６−３１８９８４号公報（第１１頁第１９欄第３５行〜第２０欄第１６行）、特開平４−１５７９９９号公報（第１頁右下欄第９〜１９行）に記載されているように周知であるから、引用発明にこの周知技術を適用して、コントローラにおいて予めメニュー画面の各領域別位置座標に対応して各メニュー項目を定義し、ユーザーが選択キーを入力するとその時の画面上の選択ポインターの座標値を得て当該座標値に対応するメニュー項目を識別することに代えて、コントローラから外部機器にポインターの座標値を送信して、外部機器において送信された座標値に対応してメニュー項目を識別するようにして、本願補正発明のように、「ユーザーが選択キーを入力すると、その時の画面上の選択ポインターの座標値を前記メニューデータを提供した外部機器に伝送することにより、予めメニュー画面の各領域別位置座標に対応して各メニュー項目が定義されている前記外部機器に対し前記送信座標値に応じたメニュー項目を識別させるとともに、この識別メニュー項目に応じたイメージデータを前記外部機器から入力して表示する」構成を採用することは当業者が容易になし得ることである。
　
相違点３について
　ポインターが選択項目上に位置するとその選択項目を他項目とは区別されるように表示することは、特開平７−３１９６６０号公報（第２頁右欄第２４行〜２８行）、特開平４−５１３１２号公報（第３頁左下欄第９〜１２行）に記載されているように周知であって格別のことではない。
　
　そして、本願補正発明のように構成したことによる効果も引用発明及び周知技術から予測できる程度のものである。
　
　したがって、本願補正発明（請求項１に係る発明）は、引用発明及び周知技術に基づいて当業者が容易に発明をすることができたものである。
　
（４）むすび
　以上のとおりであるから、本件補正は特許法第１７条の２第５項で準用する同法第１２６条第５項の規定に違反するものであり、特許法第１５９条第１項で準用する特許法第５３条第１項の規定により却下すべきものである。
　
３．本願発明について
　平成１７年２月１８日付け手続補正は上記のとおり却下されたので、本願の請求項１に係る発明（以下、「本願発明」という。）は、平成１６年２月２５日付け手続補正書の特許請求の範囲の請求項１に記載された事項により特定される、以下のとおりのものである。
「外部機器選択のためのメニュー画面を表示する第１段階と、
　前記メニュー画面を通して選択された特定外部機器の動作選択のためのメニュー画面を要求する第２段階と、
　前記要求により特定外部機器から、メニュー画面構成のためのデータ変換なしに提供されるメニューデータを受信して、これを画面に表示する第３段階と
　を含み、さらに、前記第３段階で表示されたメニュー画面上で選択ポインターの移動によってそのポインターが任意の選択項目上に位置するとその選択項目を他項目とは区別されるように表示する第４段階を含むことを特徴とする外部連結機器のメニュー遠隔制御方法。」
　
（１）引用刊行物
　原査定の拒絶の理由に引用された引用刊行物及びその記載事項は、前記「２．（１）」に記載したとおりである。
　
（２）対比・判断
　本願発明は、前記２．で検討した本願補正発明の「・・・これを画面に表示する第３段階」とあるのを「・・・これを画面に表示する一方、表示されたメニュー画面に対してユーザーが選択キーを入力するとその時の画面上の選択ポインターの座標値を前記メニューデータを提供した外部機器に伝送することにより、予めメニュー画面の各領域別位置座標に対応して各メニュー項目が定義されている前記外部機器に対し前記送信座標値に応じたメニュー項目を識別させるとともに、この識別メニュー項目に応じたイメージデータを前記外部機器から入力して表示する第３段階」とする限定を削除したものである。
　そうすると、本願発明の構成要件を全て含みさらに限定を付したものに相当する本願補正発明が、前記「２．（３）」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
　
（３）むすび
　以上のとおり、本願発明（請求項１に係る発明）は、引用発明及び周知技術に基づいて当業者が容易に発明をすることができたものである。
　したがって、本願はその余の請求項について論及するまでもなく、特許法第２９条第２項の規定により特許を受けることができない。
　よって、結論のとおり審決する。